(57)【要約】【課題】  簡単に装着され、かつ箸を動かすための動作が容易で、指の重度の障害者で合っても使用することができる身障者用箸補助具を提供する。【解決手段】  身障者用箸補助具は、掌に密着状に当接される載置部４と手の甲側に位置されるベルト部５とにより、手に卷回されて着脱可能に装着される保持部１と、この保持部１に一体的に設けられる２本の箸３ａ、３ｂを係止する箸支持部２とよりなり、この箸支持部２は、一方の箸３ａを固定状に、また他方の箸３ｂを適宜間隔をおいて弾発性を有して回動可能に取付けて、箸３ａ、３ｂをその取付け状態において、先端部が当接または近接状態で位置し、保持部１を手に装着して箸３ａ、３ｂを作動する際、箸支持部２に設けられている押止片６を親指の付け根またはその付近の動作により押圧して、回動可能な箸３ｂを弾発的に動かして先端部を開閉されて使用に供される。【選択図】図１
2008168097.tif 000002
【特許請求の範囲】
【請求項１】
掌に密着状に当接される載置部と手の甲側に位置されるベル部とにより手に卷回されて着脱可能に装着される保持部と、この保持部に一体的に設けられ２本の箸を係止する箸支持部とよりなり、前記箸支持部は、一方の箸を固定状に、また他方の箸を適宜間隔をおいて弾発性を有して回動状に取付け、かつ、箸をその取付け状態においてその先端部が当接または近接状態で位置され、保持部を手に装着して箸を作動する際、箸支持部に設けられている押止片を親指の付け根またはその付近の動作により押圧して、回動状の箸を弾発的に作動して、箸の先端部を開閉してなることを特徴とする身障者用箸補助具。
【請求項２】
前記箸支持部には係止部を形成して、スプーンやフォーク等を着脱可能に装着されることを特徴とする請求項１記載の身障者用箸補助具。
【請求項３】
前記箸支持部は、回動可能な箸の動きを規制する案内部を形成してなることを特徴とする請求項１及び２のいずれかに記載の身障者用箸補助具。
【発明の詳細な説明】
【技術分野】
【０００１】  本発明は、箸を正常に掴むことが不自由かまたは不可能な身障者とくに手指に障害を持つ人が箸を用いる身障者用箸補助具に関するものである。
【背景技術】
【０００２】  従来、とくに手指に障害のある人、または怪我等で手指に障害が生じた人は、食事の際自由に箸を使って食事をすることは困難であった。【０００３】  このため、二本の箸の上端側をバネ材で連結して指の差込部や支え部を設けたものがみられた。
【発明の開示】
【発明が解決しようとする課題】
【０００４】  しかしながら、この種の従来の箸補助具は指の力を利用して箸を動かすため、相当な力が必要となり、使用する指の負担が大きかったばかりでなく、そのための指が正常に働くことが必要とされ、重度の指の障害者が利用することはできにくかった。【０００５】  本発明は、簡単に装着され、かつ箸を動かすための動作が容易で、指の重度の障害者で合っても使用することができる身障者用箸補助具を提供するものである。
【課題を解決するための手段】
【０００６】  上記目的を達成するため、本発明に係る身障者用箸補助具は、掌に密着状に当接される載置部と手の甲側に位置されるベル部とにより手に卷回されて着脱可能に装着される保持部と、この保持部に一体的に設けられ２本の箸を係止する箸支持部とよりなり、前記箸支持部は、一方の箸を固定状に、また他方の箸を適宜間隔をおいて弾発性を有して回動状に取付け、かつ、箸をその取付け状態においてその先端部が当接または近接状態で位置し、保持部を手に装着して箸を作動する際、箸支持部に設けられている押止片を親指の付け根またはその付近の動作により押圧して、回動状の箸を弾発的に作動して、箸の先端部を開閉してなることを特徴とするものである。【０００７】  さらに、前記箸支持部には係止部を形成して、スプーンやフォーク等を着脱可能に装着されることを特徴とするものである。【０００８】  さらに、前記箸支持部は、回動可能な箸の動きを規制する案内部を形成してなることを特徴とするものである。
【発明の効果】
【０００９】  上記の構成を有する本発明に係る身障者用箸補助具によれば、指で挟むことなく、親指の付け根側の僅かな動きで箸を作動させて料理等を挟んだり、摘んだりすることができ、指を失った身障者や怪我をして箸を指で操作することができない場合でも、介護者の手を煩わせることなく、自身で容易に対応することができる。【００１０】  さらに、その動作において、指を用いることなく、箸支持部に設けられている押止片を親指の付け根で押圧するだけの僅かな動作で、箸を動かすもので、煩雑な操作を要したり、動かすための大きな力を必要としたりせず、簡単に２本の箸の間隔を調節して料理等をしっかりと掴むことができる。【００１１】  さらに、２本の箸はその一方を固定し、また、他方の箸を回動状に動かし、また、回動する箸は固定されている箸に対して、その上端側を適宜間隔で拡開し、根元側をやや近接状態で弾発力を有するもので、その静止状態、すなわち不使用状態では２本の箸の先端が当接または近接した状態に位置され、使用するときに拡開させ、使用後はバネの付勢力で元の状態に自動的に戻ることができる。【００１２】  また、手に装着される保持部は、掌に密着状に当接される載置片と手の甲側に被冠されるベルト部とにより手に卷回されて着脱可能に装着されているもので、容易にしかもしっかりと手に装着され、また簡単に外すことができる。【００１３】  さらに、スプーンやフォーク等の柄を取付ける係止部を形成して、スプーン等を着脱可能に装着することにより、液状の食品に対しても対応することができ、また箸を持ったまま併用することができる。【００１４】  さらに、箸支持部は回動する箸の必要以上の動きを規制しているもので、その操作中に２本の箸、とくに物を掴む先端側が勝手に動いたり、重なったりして齟齬をきたすことがなく、常に正常な動きを行うことができる。
【発明を実施するための最良の形態】
【００１５】  以下本発明に係る身障者用箸補助具について、添付図面を用いて説明する。
図１は、本発明を構成する身障者用箸補助具を示す正面側から見た略示図、図２は、同じく背面側から見た略示図である。【００１６】  本発明に係る身障者用箸補助具は、図１に示すように、掌に密着状に当接される載置部４と手の甲側に位置されるベルト部５とにより、手に卷回されて着脱可能に装着される保持部１と、この保持部１に一体的に設けられる２本の箸３ａ、３ｂを係止する箸支持部２とよりなり、この箸支持部２は、一方の箸３ａを固定状に、また他方の箸３ｂを適宜間隔をおいて弾発性を有して回動可能に取付けて、箸３ａ、３ｂをその取付け状態において、先端部が当接または近接状態で位置し、保持部１を手に装着して箸３ａ、３ｂを作動する際、箸支持部２に設けられている押止片６を親指の付け根またはその付近の動作により押圧して、回動可能な箸３ｂを弾発的に動かして先端部を開閉されて使用に供されるものである。【００１７】  手２０に装着される保持部１は、掌２０ａに密着状に載置して当接される載置部４と手２０の甲２０ｂに締着される布等の柔軟性を有する調節、かつ着脱可能なベルト部５から形成され、載置部４はその平板状の基板７の先端に指２０ｃの支え片８を延設し、両側には手２０の左右の搖動を防ぐ立ち上がり片９を設け、この立ち上がり片９の一方でベルト部５の一端を止着し、他方には挿通孔１０を設けてベルト部５を挿通している。【００１８】  装着する際は、手２０を載置部４の基板７に掌２０ａを密着状に当接して、指２０ｃを支え片８に当て、立ち上がり片８で手の左右のブレを防いで載せ、ベルト部５で甲２０ｂを被冠して搖動しないように適宜締め付け、手２０に卷付けた状態でベルト部に設けたファスナーで止めてしっかりと装着される。【００１９】  箸支持部２は、保持部１の一端側、すなわち、親指が位置する側に一体的に垂設される連結片１１に適宜間隔を置いて、一方にこの連結片１１と固定箸３ａを挿通支持する中空状の固定箸挿通杆１２の取付片１３を、また、他方には回動可能な箸３ｂを挿通支持する中空状の回動箸挿通杆１４の取付片１５を回動可能に連結している。【００１９】  回動箸挿通杆１４は、その一端を取付片１５に、他端を固定箸挿通杆１２の取付片１３にそれぞれ係止されるバネ部材１６が設けられて、回動箸挿通杆１４に挿通支持される回動箸３ｂをバネ付勢している。【００２０】  また、箸支持部２は回動箸挿通杆１４の上端側に、弾発性を有する押止片６が突出状に形成されて、保持部１に手２０を装着したとき、その親指の付け根またはその付近で当接されて、その部分の動きで押止片６を押圧して、回動箸挿通杆１４に取り付けられている回動箸３ｂをバネ部材１６の付勢力に抗して回動させ箸３の先端部を開閉する。【００２１】  固定箸挿通杆１２と回動箸挿通杆１４は、適宜間隔を有し、かつ、その上端側、すなわち保持部１側を拡開し、下端側をやや接近させて傾斜状に形成され、その終端部より２本の箸３ａ、３ｂをそれぞれ差し込んで係脱可能に装着係止するとともに、その装着状態に静止した不使用状態において、２本の箸３ａ、３ｂの先端部が当接または近接状態で位置されている。【００２２】  また、箸支持部２は、適宜間隔をおいて形成される固定箸挿通杆１２に中空状の案内��１７を設けて、回動箸挿通杆１４を挿通してその回動を規制している。【００２３】  また、箸支持部２の案内部１７には、箸３以外スプーンやフォーク等を着脱可能に装着するための係止部１８を形成しているもので、この係止部１８は、併用できるように箸３と距離をとり略直角状にスプーンやフォーク等の柄の根元側を差し込み係止して取付けている。【００２４】  なお、この係止部１８は、安内部１７と一体に設けるものに限らず、適宜位置に別途独立して設けるものであっても、または箸３と共用する以外単独での使用でもよい。
【図面の簡単な説明】
【００２５】
【図１】  本発明を構成する身障者用箸補助具を示す正面側から見た略示図である。
【図２】  同じく身障者用箸補助具の背面側から見た略示図である。
【符号の説明】
【００２６】      １        保持部
２        箸支持部
３        箸
３ａ      固定状箸
３ｂ      回動状箸
４        保持部１の載置部
５        保持部１のベルト部
６        押止片
７        固定片４の基番
８        固定片４の支え片
９        固定片４の立ち上がり片
１０      挿通孔
１１      保持部１の連結片
１２      箸支持部２の固定箸挿通杆
１３      箸支持部２の取付片
１４      箸支持部２の回動箸挿通杆
１５      箸支持部２の取付片
１６      バネ部材
１７      案内部
１８      係止部
２０      手
２０ａ    手２０の掌
２０ｂ    手２０の甲
２０ｃ    手２０の指
【図１】
2008168097.tif 000003
【図２】
2008168097.tif 000004